【手続補正書】
【提出日】平成31年1月9日(2019.1.9)
【手続補正１】
【補正対象書類名】特許請求の範囲
【補正対象項目名】全文
【補正方法】変更
【補正の内容】
【特許請求の範囲】
【請求項１】
ワイヤレス通信の間にタイミング情報を発見するための方法であって、
ユーザ装置（ＵＥ）において、ネットワークエンティティからの発見信号に関して、アンライセンス無線周波数スペクトルバンド上でモニタリングすることと、
前記アンライセンス無線周波数スペクトルバンドのチャネルが利用可能かどうか確認するためのクリアチャネルアセスメント（ＣＣＡ）プロシージャの後に、前記ネットワークエンティティからのダウンリンク制御チャネル上で、サブフレームの間に、前記発見信号を受信することと、
前記発見信号に基づいて、前記ネットワークエンティティの現在のサブフレーム位置を決定することと、ここにおいて、前記発見信号は、前記現在のサブフレーム位置に対応するタイミング情報を含む、
を備える、方法。
【請求項２】
前記発見信号は、向上されたシステム情報ブロック（ｅＳＩＢ）を含み、ここにおいて、前記ｅＳＩＢは、ＳＩＢ１、ＳＩＢ２、およびマスター情報ブロック（ＭＩＢ）のうちの少なくとも１つまたは複数において前記タイミング情報を含む、請求項１に記載の方法。
【請求項３】
前記ダウンリンク制御チャネルを復調することと、
前記ダウンリンク制御チャネルを復調することに応答して、前記サブフレーム内での前記ｅＳＩＢの位置を決定することと、
をさらに備える、請求項２に記載の方法。
【請求項４】
前記ダウンリンク制御チャネルは、物理ダウンリンク制御チャネル（ＰＤＣＣＨ）または向上されたダウンリンク制御チャネル（ｅＰＤＣＣＨ）のいずれかに対応する、請求項１に記載の方法。
【請求項５】
前記発見信号は、プライマリ同期信号（ＰＳＳ）およびセカンダリ同期信号（ＳＳＳ）に対応する同期情報を含む、請求項１に記載の方法。
【請求項６】
前記ネットワークエンティティの前記現在のサブフレーム位置に基づいて、無線フレーム境界（ＲＦＢ）を決定することをさらに備える、請求項１に記載の方法。
【請求項７】
前記ネットワークエンティティの前記現在のサブフレーム位置に基づいて、発見ウィンドウおよび発見期間を決定することをさらに備える、請求項１に記載の方法。
【請求項８】
前記発見ウィンドウのサイズおよび前記発見期間のサイズは、事前構成される、請求項７に記載の方法。
【請求項９】
前記発見信号は、前記発見ウィンドウの間に、非周期的な日和見的な信号として受信される、請求項７に記載の方法。
【請求項１０】
ワイヤレス通信の間にタイミング情報を発見するための装置であって、
ユーザ装置（ＵＥ）において、ネットワークエンティティからの発見信号に関して、アンライセンス無線周波数スペクトルバンド上でモニタリングするための手段と、
前記アンライセンス無線周波数スペクトルバンドのチャネルが利用可能かどうか確認するためのクリアチャネルアセスメント（ＣＣＡ）プロシージャの後に、前記ネットワークエンティティからのダウンリンク制御チャネル上で、サブフレームの間に、前記発見信号を受信するための手段と、
前記発見信号に基づいて、前記ネットワークエンティティの現在のサブフレーム位置を決定するための手段と、ここにおいて、前記発見信号は、前記現在のサブフレーム位置に対応するタイミング情報を含む、
を備える、装置。
【請求項１１】
前記発見信号は、向上されたシステム情報ブロック（ｅＳＩＢ）を含み、ここにおいて、前記ｅＳＩＢは、ＳＩＢ１、ＳＩＢ２、およびマスター情報ブロック（ＭＩＢ）のうちの少なくとも１つまたは複数において前記タイミング情報を含む、請求項１０に記載の装置。
【請求項１２】
前記ダウンリンク制御チャネルを復調するための手段と、
前記ダウンリンク制御チャネルを復調することに応答して、前記サブフレーム内での前記ｅＳＩＢの位置を決定するための手段と、
をさらに備える、請求項１１に記載の装置。
【請求項１３】
前記ダウンリンク制御チャネルは、物理ダウンリンク制御チャネル（ＰＤＣＣＨ）または向上されたダウンリンク制御チャネル（ｅＰＤＣＣＨ）のいずれかに対応する、請求項１０に記載の装置。
【請求項１４】
ワイヤレス通信の間にタイミング情報を発見するためのコンピュータ実行可能なコードを記憶するコンピュータ読み取り可能な媒体であって、コンピュータによって実行されるとき、コンピュータに請求項１−９のうちの何れか一項にしたがった方法を実行させる命令を備える、コンピュータ読み取り可能な媒体。
【手続補正２】
【補正対象書類名】明細書
【補正対象項目名】０１２０
【補正方法】変更
【補正の内容】
【０１２０】
[00131]  前述の開示は例示的な態様を示すが、添付の特許請求の範囲によって定義される本開示の範囲から逸脱することなく、ここで様々な変更および修正が成されることができることに留意されたい。ここに説明された本開示の態様による方法の請求項の機能、ステップ、および／またはアクションは、特定の順序で実施される必要はない。さらに、ある特定の態様は、単数形で説明され得るまたは特許請求され得るが、単数形への限定が明記されていない限り、複数形が考慮されている。
以下に本願の出願当初の特許請求の範囲に記載された発明を付記する。
［Ｃ１］
ワイヤレス通信の間にタイミング情報を発見するための方法であって、
ユーザ装置（ＵＥ）において、ネットワークエンティティからの発見信号に関して、アンライセンス無線周波数スペクトルバンド上でモニタリングすることと、
前記ネットワークエンティティから、サブフレームの間に、前記発見信号を受信することと、
前記発見信号に基づいて、前記ネットワークエンティティの現在のサブフレーム位置を決定することと、ここにおいて、前記発見信号は、前記現在のサブフレーム位置に対応するタイミング情報を含む、
を備える、方法。
［Ｃ２］
前記発見信号は、前記アンライセンス無線周波数スペクトルバンドのチャネルが利用可能かどうか確認するためのクリアチャネルアセスメント（ＣＣＡ）プロシージャの後に、前記ネットワークエンティティからのダウンリンク制御チャネル上で受信される、Ｃ１に記載の方法。
［Ｃ３］
前記発見信号は、向上されたシステム情報ブロック（ｅＳＩＢ）を含み、ここにおいて、前記ｅＳＩＢは、ＳＩＢ１、ＳＩＢ２、およびマスター情報ブロック（ＭＩＢ）のうちの少なくとも１つまたは複数において前記タイミング情報を含む、Ｃ２に記載の方法。
［Ｃ４］
前記ダウンリンク制御チャネルを復調することと、
前記ダウンリンク制御チャネルを復調することに応答して、前記サブフレーム内での前記ｅＳＩＢの位置を決定することと、
をさらに備える、Ｃ３に記載の方法。
［Ｃ５］
前記ダウンリンク制御チャネルは、物理ダウンリンク制御チャネル（ＰＤＣＣＨ）または向上されたダウンリンク制御チャネル（ｅＰＤＣＣＨ）のいずれかに対応する、Ｃ２に記載の方法。
［Ｃ６］
前記発見信号は、プライマリ同期信号（ＰＳＳ）およびセカンダリ同期信号（ＳＳＳ）に対応する同期情報を含む、Ｃ１に記載の方法。
［Ｃ７］
前記ネットワークエンティティの前記現在のサブフレーム位置に基づいて、無線フレーム境界（ＲＦＢ）を決定することをさらに備える、Ｃ１に記載の方法。
［Ｃ８］
前記ネットワークエンティティの前記現在のサブフレーム位置に基づいて、発見ウィンドウおよび発見期間を決定することをさらに備える、Ｃ１に記載の方法。
［Ｃ９］
前記発見ウィンドウのサイズおよび前記発見期間のサイズは、事前構成される、Ｃ８に記載の方法。
［Ｃ１０］
前記発見信号は、前記発見ウィンドウの間に、非周期的な日和見的な信号として受信される、Ｃ８に記載の方法。
［Ｃ１１］
ワイヤレス通信の間にタイミング情報を発見するための装置であって、
データを記憶するように構成されるメモリと、
前記メモリと通信的に結合された１つまたは複数のプロセッサと、
を備え、ここにおいて、前記１つまたは複数のプロセッサおよび前記メモリは、
ユーザ装置（ＵＥ）において、ネットワークエンティティからの発見信号に関して、アンライセンス無線周波数スペクトルバンド上でモニタリングすることと、
前記ネットワークエンティティから、サブフレームの間に、前記発見信号を受信することと、
前記発見信号に基づいて、前記ネットワークエンティティの現在のサブフレーム位置を決定することと、ここにおいて、前記発見信号は、前記現在のサブフレーム位置に対応するタイミング情報を含む、
を行うように構成される、装置。
［Ｃ１２］
前記発見信号は、前記アンライセンス無線周波数スペクトルバンドのチャネルが利用可能かどうか確認するためのクリアチャネルアセスメント（ＣＣＡ）プロシージャの後に、前記ネットワークエンティティからのダウンリンク制御チャネル上で受信される、Ｃ１１に記載の装置。
［Ｃ１３］
前記発見信号は、向上されたシステム情報ブロック（ｅＳＩＢ）を含み、ここにおいて、前記ｅＳＩＢは、ＳＩＢ１、ＳＩＢ２、およびマスター情報ブロック（ＭＩＢ）のうちの少なくとも１つまたは複数において前記タイミング情報を含む、Ｃ１２に記載の装置。
［Ｃ１４］
前記１つまたは複数のプロセッサおよび前記メモリは、
前記ダウンリンク制御チャネルを復調することと、
前記ダウンリンク制御チャネルを復調することに応答して、前記サブフレーム内での前記ｅＳＩＢの位置を決定することと、
を行うようにさらに構成される、Ｃ１３に記載の装置。
［Ｃ１５］
前記ダウンリンク制御チャネルは、物理ダウンリンク制御チャネル（ＰＤＣＣＨ）または向上されたダウンリンク制御チャネル（ｅＰＤＣＣＨ）のいずれかに対応する、Ｃ１２に記載の装置。
［Ｃ１６］
前記発見信号は、プライマリ同期信号（ＰＳＳ）およびセカンダリ同期信号（ＳＳＳ）に対応する同期情報を含む、Ｃ１１に記載の装置。
［Ｃ１７］
前記１つまたは複数のプロセッサおよび前記メモリは、前記ネットワークエンティティの前記現在のサブフレーム位置に基づいて、無線フレーム境界（ＲＦＢ）を決定するようにさらに構成される、Ｃ１１に記載の装置。
［Ｃ１８］
前記１つまたは複数のプロセッサおよび前記メモリは、前記ネットワークエンティティの前記現在のサブフレーム位置に基づいて、発見ウィンドウおよび発見期間を決定するように構成さらにされる、Ｃ１１に記載の装置。
［Ｃ１９］
前記発見ウィンドウのサイズおよび前記発見期間のサイズは、事前構成される、Ｃ１８に記載の装置。
［Ｃ２０］
前記発見信号は、前記発見ウィンドウの間に、非周期的な日和見的な信号として受信される、Ｃ１８に記載の装置。
［Ｃ２１］
ワイヤレス通信の間にタイミング情報を発見するための装置であって、
ユーザ装置（ＵＥ）において、ネットワークエンティティからの発見信号に関して、アンライセンス無線周波数スペクトルバンド上でモニタリングするための手段と、
前記ネットワークエンティティから、サブフレームの間に、前記発見信号を受信するための手段と、
前記発見信号に基づいて、前記ネットワークエンティティの現在のサブフレーム位置を決定するための手段と、ここにおいて、前記発見信号は、前記現在のサブフレーム位置に対応するタイミング情報を含む、
を備える、装置。
［Ｃ２２］
前記発見信号は、前記アンライセンス無線周波数スペクトルバンドのチャネルが利用可能かどうか確認するためのクリアチャネルアセスメント（ＣＣＡ）プロシージャの後に、前記ネットワークエンティティからのダウンリンク制御チャネル上で受信される、Ｃ２１に記載の装置。
［Ｃ２３］
前記発見信号は、向上されたシステム情報ブロック（ｅＳＩＢ）を含み、ここにおいて、前記ｅＳＩＢは、ＳＩＢ１、ＳＩＢ２、およびマスター情報ブロック（ＭＩＢ）のうちの少なくとも１つまたは複数において前記タイミング情報を含む、Ｃ２２に記載の装置。
［Ｃ２４］
前記ダウンリンク制御チャネルを復調するための手段と、
前記ダウンリンク制御チャネルを復調することに応答して、前記サブフレーム内での前記ｅＳＩＢの位置を決定するための手段と、
をさらに備える、Ｃ２３に記載の装置。
［Ｃ２５］
前記ダウンリンク制御チャネルは、物理ダウンリンク制御チャネル（ＰＤＣＣＨ）または向上されたダウンリンク制御チャネル（ｅＰＤＣＣＨ）のいずれかに対応する、Ｃ２２に記載の装置。
［Ｃ２６］
ワイヤレス通信の間にタイミング情報を発見するためのコンピュータ実行可能なコードを記憶するコンピュータ読み取り可能な媒体であって、
ユーザ装置（ＵＥ）において、ネットワークエンティティからの発見信号に関して、アンライセンス無線周波数スペクトルバンド上でモニタリングするためのコードと、
前記ネットワークエンティティから、サブフレームの間に、前記発見信号を受信するためのコードと、
前記発見信号に基づいて、前記ネットワークエンティティの現在のサブフレーム位置を決定するためのコードと、ここにおいて、前記発見信号は、前記現在のサブフレーム位置に対応するタイミング情報を含む、
を備える、コンピュータ読み取り可能な媒体。
［Ｃ２７］
前記発見信号は、前記アンライセンス無線周波数スペクトルバンドのチャネルが利用可能かどうか確認するためのクリアチャネルアセスメント（ＣＣＡ）プロシージャの後に、前記ネットワークエンティティからのダウンリンク制御チャネル上で受信される、Ｃ２６に記載のコンピュータ読み取り可能な媒体。
［Ｃ２８］
前記発見信号は、向上されたシステム情報ブロック（ｅＳＩＢ）を含み、ここにおいて、前記ｅＳＩＢは、ＳＩＢ１、ＳＩＢ２、およびマスター情報ブロック（ＭＩＢ）のうちの少なくとも１つまたは複数において前記タイミング情報を含む、Ｃ２７に記載のコンピュータ読み取り可能な媒体。
［Ｃ２９］
前記ダウンリンク制御チャネルを復調するためのコードと、
前記ダウンリンク制御チャネルを復調することに応答して、前記サブフレーム内での前記ｅＳＩＢの位置を決定するためのコードと、
をさらに備える、Ｃ２８に記載のコンピュータ読み取り可能な媒体。
［Ｃ３０］
前記ダウンリンク制御チャネルは、物理ダウンリンク制御チャネル（ＰＤＣＣＨ）または向上されたダウンリンク制御チャネル（ｅＰＤＣＣＨ）のいずれかに対応する、Ｃ２７に記載のコンピュータ読み取り可能な媒体。